(57)【要約】【課題】水洗トイレに流す水の量を少なくすると共に、トイレの汚染や悪臭を防止することができる節水具を提供すること。【解決手段】取付手段１０２を用いてトイレ用タンクの内部に収納されている浮子の下方に取り付けることにより、水の水位に対する浮子の高さを相対的に高くすることにより、トイレに流す水を節約することができるようにした節水具１００であって、節水具本体１０１の内部には、セラミック１０７及び浮力体１１０とが収納されており、貫通孔１０６を介して、トイレ用タンクの内部に溜められる水をセラミックと接するようにすることで、この水を活性化することができるようにしたことを特徴とする節水具１００を提供する。【選択図】　図２
0003098549.tif 000002
【実用新案登録請求の範囲】
【請求項１】
トイレ用タンクの内部に収納され、前記トイレ用タンクの内部に溜められた水に浮く浮子を備え、前記トイレ用タンクの内部に溜められた水の水位により、前記浮子が所定の高さに達していない場合には、前記トイレ用タンクの内部に水を供給し、前記浮子が所定の高さに達した場合には、前記トイレ用タンクの内部への水の供給を止めることで前記トイレ用タンクの内部に所定の量の水を溜め、前記トイレ用タンクの内部に溜められた水をトイレの便器に流すようにした水洗トイレに使用される節水具であって、
前記節水具は、中空状の節水具本体と、前記節水具本体を前記浮子の下方に取り付ける取付手段と、からなり、前記取付手段を用いて前記浮子の下方に取り付けた際に、前記浮子の全体が水面よりも上方に位置した状態で、水面に浮くようにすることで、水の水位に対する前記浮子の高さを相対的に高くすることができるようになっており、
前記節水具本体の内部には、水を活性化する物質と、比重が１よりも小さい浮力体と、が収納されており、
前記節水具本体には、内部に水を通す貫通孔が形成されていることを特徴とする節水具。
【請求項２】
前記浮力体は、発泡樹脂であることを特徴とする請求項１に記載の節水具。
【請求項３】
前記浮力体は、気体を封入した収納体であることを特徴とする請求項１に記載の節水具。
【請求項４】
水を活性化する前記物質は、複数の粒状のセラミックであることを特徴とする請求項１乃至３の何れか一項に記載の節水具。
【請求項５】
前記節水具本体には、前記取付手段を用いて前記浮子の下方に取り付けた際に、前記浮子に向かって突出する脚部が形成されていることを特徴とする請求項１乃至４の何れか一項に記載の節水具。
【考案の詳細な説明】
【０００１】
【考案の属する技術分野】
本考案は節水具に関し、特に、水洗トイレに使用される節水具に関する。
【０００２】
【従来の技術】
水洗トイレに使用されている水供給システムとしては、トイレ用タンクの内部に収納され、トイレ用タンクの内部に溜められた水に浮く浮子と、トイレ用タンクへの水の供給路を開閉する開閉弁と、浮子と開閉弁とを連結する連結手段と、を備えるものが一般的に使用されており、この水供給システムでは、トイレ用タンクの内部に溜められた水により、この水に浮く浮子が所定の高さに達した場合に、開閉弁により水の供給路を閉じ、一方、浮子がこの高さよりも低い位置にある場合には、開閉弁により水の供給路を開くことで、トイレ用タンクの内部に溜められる水の量を均一に保つようにしている。
【０００３】
このような浮子を利用した水供給システムを使用した水洗トイレにおいては、例えば、登録実用新案第３０１４４５４号公報に記載された節水具が使用されている。
【０００４】
図４に表されているように、登録実用新案第３０１４４５４号公報に記載された節水具５００は、トイレ用タンクの内部に収納されている浮子５１０の下部に、発泡樹脂ブロック、空気袋又は中空成型品により形成された節水具本体５０１をゴムバンド５０２で固定し、浮子５１０の下部に取り付けた状態で水の水面に浮くようにすることで、水の水位に対する浮子５１０の位置を相対的に高くなるようにし、トイレ用タンクの内部に溜められる水の量を相対的に少なくなるようにしていた。
【０００５】
【考案が解決しようとする課題】
しかしながら、従来の節水具では、水洗トイレに流す水の量が少なくなるため、トイレに排出された排出物を充分に流すことができず、トイレや配水管等にこの排出物の残滓が付着し、トイレの汚染や悪臭の原因となることがあった。
【０００６】
そこで、本考案は、水洗トイレに流す水の量を少なくすると共に、トイレの汚染や悪臭を防止することができる節水具を提供することを目的とする。
【０００７】
【課題を解決するための手段】
以上の課題を解決するため、本考案は、トイレ用タンクの内部に収納され、前記トイレ用タンクの内部に溜められた水に浮く浮子を備え、前記トイレ用タンクの内部に溜められた水の水位により、前記浮子が所定の高さに達していない場合には、前記トイレ用タンクの内部に水を供給し、前記浮子が所定の高さに達した場合には、前記トイレ用タンクの内部への水の供給を止めることで前記トイレ用タンクの内部に所定の量の水を溜め、前記トイレ用タンクの内部に溜められた水をトイレの便器に流すようにした水洗トイレに使用される節水具であって、前記節水具は、中空状の節水具本体と、前記節水具本体を前記浮子の下方に取り付ける取付手段と、からなり、前記取付手段を用いて前記浮子の下方に取り付けた際に、前記浮子の全体が水面よりも上方に位置した状態で、水面に浮くようにすることで、水の水位に対する前記浮子の高さを相対的に高くすることができるようになっており、前記節水具本体の内部には、水を活性化する物質と、比重が１よりも小さい浮力体と、が収納されており、前記節水具本体には、内部に水を通す貫通孔が形成されていることを特徴とする節水具を提供する。
【０００８】
このように節水具本体の内部に水を活性化する物質を収納し、節水具本体にその内部に水を通す貫通孔を形成しておくことで、トイレ用タンクの内部に溜められる水が、この水を活性化する物質に接することで活性化される。
【０００９】
そして、活性化された水を便器に流すことにより、便器や配管に付着した尿石や黒ずみ等を除去し、除菌を行い悪臭やぬめり等も取ることができるようになる。
【００１０】
また、便器や配管に付着した尿石や黒ずみ等を除去することができることから、便器や配管の表面を平滑にしておくことができるようになり、便器に排出された排出物を少ない水で充分に流すことができるようになる。
【００１１】
なお、本考案では、節水具本体の内部に浮力体を収納することにより、節水具本体に適切な浮力を与えるようにしている。
【００１２】
ここで、浮力体としては、発泡樹脂や気体を封入した収納体を使用することができる。
【００１３】
なお、本考案に使用する水を活性化する物質としては、水を活性化させることができるものであればどのようなものであってもよいが、例えば、粒状のセラミックを複数使用することで、水を活性化することが可能である。
【００１４】
また、節水具本体には、取付手段を用いて浮子の下方に取り付けた際に、この浮子に向かって突出する脚部を形成しておくことで、浮子の全体を確実に水面の上に位置させることが可能となる。
【００１５】
【考案の実施の形態】
図１は、本考案の一実施形態に係る節水具１００の分解斜視図である。
【００１６】
節水具１００は、節水具本体１０１と、取付手段としての連結ベルト１０２と、により構成されている。
【００１７】
節水具本体１０１は、ポリプロピレンかなり、半球状の第一の部材２０１Ａと、半球状の第二の部材１０１Ｂと、を接着することにより、全体としてほぼ球形に形成されており、図２（節水具本体１０１の縦断面図）に表されているように、中空状に形成されており、第一の部材１０１Ａと第二の部材１０１Ｂとの間に所定の内部空間１１１（図５参照）が生ずるようにされている。
【００１８】
すなわち、半球状に湾曲するように形成された第一の部材１１０Ａの開口縁１１０Ａ−ａと、半球状に湾曲するように形成された第二の部材１１０Ｂの開口縁１１０Ｂ−ａと、を接着することにより、これらの部材１１０Ａ、１１０Ｂの間に中空状の内部空間１１１を形成している。
【００１９】
なお、第一の部材１１０Ａの開口縁１１０Ａ−ａの直径と、半球状に形成された第二の部材１１０Ｂの開口縁１１０Ｂ−ａの直径と、を同じにしておくことにより、これらは隙間なく接着することができるようになる。
【００２０】
また、第一の部材１１０Ａ及び第二の部材１１０Ｂの大きさ・形状については、後述するセラミック１０７及び浮力体２１０を収納することができる大きさ・形状を適時選択することができる。
【００２１】
さらに、第二の部材１１０Ｂには、貫通孔１０６が形成されている。
【００２２】
ここで、第二の部材１０１Ｂには、貫通孔１０６が複数形成されているため、この貫通孔１０６を通じて、水が活性化物質収納領域１０４に入り込むことができるようにされている。
【００２３】
なお、貫通孔１０６の大きさ・形状については、第一の部材１１０Ａ及び第二の部材１１０Ｂの間の内部空間１１１に入れられるセラミック１０７の大きさに応じて、このセラミック１０７が外部に出てしまうことがない程度の大きさ・形状に設ければよく、また、貫通孔１０６の数についてもセラミック１０７と水とを接触させる目的を達成することができる範囲で適時選択すればよい。
【００２４】
ここで、部材１１０Ａ、１１０Ｂとの間に形成された中空状の内部空間１１１には、セラミック１０７及び浮力体２１０が収納されている。
【００２５】
この内部空間１１１に収納されるセラミック１０７については、水を活性化することができるものである限り、どのようなものであってもよいが、本実施形態では、アルミナ（酸化アルミニウム）を原料として形成されている。
【００２６】
また、本実施形態では、セラミック１０７を球形に形成し、内部空間１１１に多数収納することにより、水との接触面積が大きくなるようにされている。
【００２７】
浮力体１１０は、比重が１よりも小さい発泡樹脂により形成されており、この浮力体１１０が押しのけた水の体積に応じた浮力が得られるようになっている。
【００２８】
ここで、この浮力体１１０の材質・形状・大きさについては、トイレ用タンク１２１（図３参照）の内部に収納されている浮子１２６（図３参照）の下部に取り付けて、水に浸した際に、浮子１２６（図３参照）の全体が水面よりも上方に位置する程度の浮力を生ずる範囲で適時選択することができる設計事項である。
【００２９】
なお、この浮力体１１０により発生する浮力を大きくとり、水面からの浮子１２６（図３参照）の高さを高くとればとるほど、トイレ用タンク１２１（図３参照）に溜められる水の量を少なくすることができ、節水効果が高くなる。
【００３０】
なお、本実施形態においては、連結ベルト１０２により節水具１００を浮子１２６（図３参照）に取り付けた際に、浮子１２６（図３参照）に対向する第一の部材１０１の面１０１Ａ−ｃに、浮子１２６（図３参照）に向かって凸となる四つの脚部１０５を設けることにより、トイレ用タンク１２１（図３参照）に溜められる水の水面からの浮子１２６（図３参照）の高さを高くとることができるようにしている。
【００３１】
本実施形態においては、第一の部材１０１側に設けられている連結ベルト１０２を用いて節水具１００を浮子１２６（図３参照）の下方に取り付け留ようにしている。
【００３２】
連結ベルト１０２は、ゴムにより形成されたベルト部１０２ａとポリプロピレンにより形成されたフック部１０２ｂとにより構成されている。
【００３３】
ベルト部１０２ａは、図３に表されているように、浮子１２６の長さ方向の周囲に巻き付けることができる程度の長さに形成されており、その両端には、浮子１２６の連結アーム１２７（図３参照）に引っ掛けることができるフック部１０２ｂがそれぞれに形成されている。
【００３４】
そして、一方のフック部１０２ｂを連結アーム１２７に引っ掛け、ベルト部１０２ａを浮子１２６の周囲に巻き、他方のフック部１０２ｂを再び連結アーム１２７に引っ掛けることにより、節水具１００は浮子１２６に取り付けることができるようにされている。
【００３５】
なお、連結ベルト１０２は、第一の本体１０１Ａに設けられたレール１０８と、第一の本体１０１Ａとの間にベルト部１０２ａを通すことにより取り付けられているため、レール１０８から一方のフック部１０２ｂと他方のフック部１０２ｂまでの長さの比を自在に変えることができるようにされている。
【００３６】
以上のように構成される節水具１００の使用例を図３（トイレ用タンク１２１の内部構造を表す一部断面図）を用いて説明する。
【００３７】
節水具１００により、節水を実現することができる水洗トイレは、水道管１２０から供給される水をトイレ用タンク１２１に一旦溜め、一旦溜めた水を排出路１２２から便器に排出することにより、便器に水を流すことができるようにされており、水道管１２０から供給される水は、ボールタップ１２３内にある止水弁（ボールタップ１２３内にあるため図示せず）を開くことにより、放出管１２４から、トイレ用タンク１２１の上面に設けられている集水孔１２５を介して、トイレ用タンク１２１の内部に溜められるようにされている。
【００３８】
ここで、止水弁は、連結アーム１２７を介して浮子１２６に連結されており、浮子１２６が所定の高さに達していない場合には、止水弁を開き、浮子１２６が所定の高さに達した場合には、止水弁を閉じることにより、トイレ用タンク１２１の内部への水の供給を止めることで、トイレ用タンク１２１の内部には、一定量の水が溜められるようにされている。
【００３９】
そして、節水具１００は、連結ベルト１０２で、浮子１２６の下方からこの浮子１２６に取り付けることにより、水の水位に対する浮子１２６の高さを、この節水具１００を取り付けていない場合と比べて、相対的に高くなるようにしている。
【００４０】
このため、節水具１００を取り付けた場合には、この節水具１００を取り付けない場合と比べて、トイレ用タンク１２１に溜められる水の水位が低くなり、このトイレ用タンク１２１に溜められる水の量が少なくなることで、便器に流す水の量を節約することができるようになる。
【００４１】
なお、このように、便器に流す水の量を減らした場合でも、本実施形態に係る節水具１００には、セラミック１０７が収納されているため、このセラミック１０７で便器に流す水が活性化され、便器を清潔に保つことができるようになる。
【００４２】
ここで、本実施形態においては、浮力体１１０を発泡樹脂により構成したが、適切な浮力を得られる限りこのような発泡樹脂に限られず、例えば、ポリエチレン等で形成された密閉袋の中に空気、窒素、酸素又はヘリウム等を充填したものを用いることもできる。
【００４３】
以上の記載した実施形態においては、節水具本体１０１をほぼ球形となるように形成したが、このような形状に限定されるわけではなく、例えば、直方体、立方体、円柱形その他の任意の形状を選択することができる。
【００４４】
また、以上に記載した実施形態に係る節水具本体１０１は、ポリプロピレンにより形成したが、他の樹脂やステンレス等の金属により形成することもできる。
【００４５】
また、以上に記載した実施形態におけるセラミックの大きさ・形状についても節水具本体１０１の内部に収納することができる限りにおいて、任意の大きさ・形状を採用することができる。
【００４６】
さらに、以上に記載した実施形態では、取付手段として連結ベルト１０２を採用したが、節水具本体１０１を浮子１２６に取り付けることができる限り、どのような構成のものを採用することも可能であり、例えば、粘着テープや面ファスナーにより浮子１２６に取り付けることも可能であり、また、吸盤により浮子１２６に取り付けることも可能である。
【００４７】
なお、以上に記載した実施形態においては、水を活性化する物質として、セラミックを使用したが、これに限られるわけではなく、例えば、磁石、トルマリン等水を活性化することができる物質であればどのような物質を使用することができる。
【００４８】
【考案の効果】
以上のように本考案を構成したので、水洗トイレで使用されている浮子に取り付けることで、水洗トイレに流す水の量を少なくすると共に、トイレ用タンクに溜められている水を活性化することで、トイレの汚染や悪臭を防止することができる節水具を提供することができる。
【図面の簡単な説明】
【図１】第一の実施形態に係る節水具１００の上方斜視図。
【図２】節水具本体１０１の縦断面図。
【図３】トイレ用タンク１２１の内部構造を表す一部断面図。
【図４】従来例を表す上方斜視図。
【符号の説明】
１００　節水具
１０１　節水具本体
１０２　連結ベルト
１０６　貫通孔
１０７　セラミック
１０８　レール
１１０　浮力体
１１１　内部空間
１２１　トイレ用タンク
１２３　ボールタップ
１２６　浮子
１２７　連結アーム
【図１】
0003098549.tif 000003
【図２】
0003098549.tif 000004
【図３】
0003098549.tif 000005
【図４】
0003098549.tif 000006